(57)【要約】      （修正有）【課題】靴内部の温度上昇による履き心地の悪化を抑制することのできる靴用中敷きおよびその中敷きを備えた靴を提供する。【解決手段】靴１０の靴底１１上面に載置されて足が載せられる基体を備え、この基体に、冷感剤が混入されて形成された冷却部が設けられている。【選択図】図３
2019005157.tif 000002
【特許請求の範囲】
【請求項１】
靴の靴底上面に載置されて足が載せられる基体を備え、この基体に、冷感剤が混入されて形成された冷却部が設けられていることを特徴とする靴用中敷き。
【請求項２】
前記冷却部が、前記基体全体にわたって設けられていることを特徴とする請求項１に記載の靴用中敷き。
【請求項３】
前記基体の上面で前記足が載せられる面に、メッシュシートが貼着されていることを特徴とする請求項２に記載の靴用中敷き。
【請求項４】
前記冷却部が、前記基体の、この基体に載せられる足の足裏の特定部位に対峙させられる位置に設けられていることを特徴とする請求項１に記載の靴用中敷き。
【請求項５】
前記基体の上面で、前記冷却部が設けられた位置以外の部位にメッシュシートが貼着されているとともに、前記冷却部が前記メッシュシートから上方に盛り上がるように設けられていることを特徴とする請求項４に記載の靴用中敷き。
【請求項６】
前記冷却部が、前記メッシュシートと一体に設けられ、このメッシュシートを前記基体の上面に貼着することによって前記基体に設けられていることを特徴とする請求項３または請求項５に記載の靴用中敷き。
【請求項７】
前記基体の前記冷却部が向けられた部位に、この冷却部を前記基体の下面へ露出させる開口部が形成されていることを特徴とする請求項４ないし請求項６の何れかに記載の靴用中敷き。
【請求項８】
前記冷感剤がメンソールであり、この冷感剤をゲル状のポリウレタン樹脂に溶け込ませることによって前記冷却部が形成されていることを特徴とする請求項１ないし請求項７の何れかに記載の靴用中敷き。
【請求項９】
靴底と、この靴底の上部に設けられて足が挿入される空洞部を形成する甲被とからなり、請求項１ないし請求項８の何れかに記載の中敷きが前記空洞部に挿入されて前記靴底の上面に装着される靴であって、前記靴底の、前記中敷きの冷却部が設けられた部位に対応する位置に、上面から下面に至る貫通孔が形成されていることを特徴とする中敷きを備えた靴。
【請求項１０】
前記靴底の上面と前記中敷きとの間に、通気性を有し異物の通過を阻止する異物混入防止部材が介装されていることを特徴とする請求項９に記載の中敷きを備えた靴。
【請求項１１】
前記靴底の上面には、この靴の上面に貼着されて前記異物混入防止部材を前記靴底の上面に固定する固定シートが設けられ、この固定シートの、前記靴底に形成されている前記貫通孔と重畳する部位に開口部が形成されていることを特徴とする請求項１０に記載の中敷きを備えた靴。
【発明の詳細な説明】
【技術分野】
【０００１】
本発明は、靴用中敷きおよび中敷きを備えた靴に係わり、特に、装着時における靴内の温度上昇を抑制することの可能な靴用中敷きおよび中敷きを備えた靴に関するものである。
【背景技術】
【０００２】
従来、靴の履き心地を改善するために、靴の内部に中敷きを挿入することが行なわれており、この中敷きの一構造例が特許文献１に示されている。
【０００３】
この従来の中敷きは、フェルト状の中敷きであって、適度の弾性と通気性を持たせることにより、歩行時における足への衝撃を緩和し、また、靴内の湿気を吸収し、これらの相乗作用により履き心地を向上させるようにしている。
【先行技術文献】
【特許文献】
【０００４】
【特許文献１】特許登録第２７５０６７０号公報
【発明の概要】
【発明が解決しようとする課題】
【０００５】
前述した従来の中敷きを用いることにより履き心地を改善することが期待できるが、なお、つぎのような改善すべき問題点が残されている。
【０００６】
すなわち、靴内部の温度が、足からの熱、あるいは、歩行時の足と靴内面との摩擦熱によって上昇し不快感の原因となるが、前述した従来の技術では、このような靴内部の温度上昇を抑えることができないといった問題点である。
【０００７】
本発明は、このような従来の問題点に鑑みてなされたもので、靴内部の温度上昇による履き心地の悪化を抑制することのできる靴用中敷きおよびその中敷きを備えた靴を提供することを解決すべき課題とする。
【課題を解決するための手段】
【０００８】
本発明の靴用中敷きは、前述した課題を解決するために、靴の靴底上面に載置されて足が載せられる基体を備え、この基体に、冷感剤が混入されて形成された冷却部が設けられていることを特徴としている。
【０００９】
このような構成の靴用中敷きは、靴内部の靴底上面に載置されて用いられるが、靴を装着した際に、足裏が前記中敷きに対峙させられる。
【００１０】
同時に、足裏は中敷きに混入された冷感剤の作用により、靴内部の温度上昇が抑制されるとともに、足裏が前記冷却部へ直接若しくは間接的に接触させられて冷感が得られ、これによって、靴内部の熱に起因した蒸れ感が軽減される。
【００１１】
前記冷却部は、前記基体全体にわたって設けることもでき、あるいは、足裏の特定部位、たとえば、足の指の付け根の部分や踵といった部位に対峙させられる位置に個々に設けることもできる。
【００１２】
また、前記基体を粘着性材料によって形成することにより、前記中敷きを靴に装着した際に、この中敷きが前記靴の靴底上面に密着させ、この靴底とのずれを抑制することができる。
【００１３】
さらに、前記基体に弾性を付与しておくことにより歩行時の衝撃を緩和することができ、前述した熱に起因した不快感の軽減作用や、中敷きのずれの抑制作用の相乗作用により、履き心地を大幅に改善することができる。
【００１４】
前記基体の上面で前記足が載置される面に、メッシュシートを貼着することができる。
【００１５】
このような構成とすることにより、前記メッシュシートによって、前記基体と足裏との間に多数の隙間を設けて両者間の換気を良くすることができる。
【００１６】
また、前記メッシュシートによって前記基体に対する足のずれを抑制して靴の装着感を高めることができ、これによって、履き心地を向上させることができる。
【００１７】
前記メッシュシートを設ける場合、前記足の踵が対峙させられる部位、前記足の中足骨部が対峙させられる部位、および、前記足の指の付け根が対峙させられる部位のそれぞれに開口部を形成しておき、これらの開口部に前記冷却部を位置させるようにしてもよい。
【００１８】
このような構成とすることにより、足裏の特定部分に前記基体の一部を直接接触させることができる。
これによって、前記メッシュシートの機能を確保しつつ、前記冷感剤の冷感作用を直接足に作用させることができる。
【００１９】
一方、前記冷却部を前記メッシュシートに一体に設け、このメッシュシートとともに前記基体へ貼着することもできる。
【００２０】
前記冷感剤にメンソールを用い、この冷感剤をゲル状のポリウレタン樹脂に溶け込ませることによって前記冷却部を形成することができる。
【００２１】
このような中敷きが挿入される靴は、その機能を効果的に引き出すために、靴底と、この靴底の上部に設けられて足が挿入される空洞部を形成する甲被とによって構成し、前記靴底の、前記中敷きの冷却部が設けられた部位に対応する位置に、上面から下面に至る貫通孔を形成した構成とする。
【００２２】
このような構成とすることにより、外気が前記貫通孔を経て前記中敷きに接触し、この外気によって前記中敷きに設けられている前記冷却部を冷却することができ、この冷却部に混入されている前記冷感剤の冷感作用の低下を抑制することができる。
【００２３】
前記靴底の上面と前記中敷きとの間には、通気性を有し異物の通過を阻止する異物混入防止部材を介装することが好ましい。
【００２４】
前記異物混入防止部材は、前記靴底の上面に貼着される固定シートによって固定する。
そして、この固定シートには、前記靴底に形成されている前記貫通孔と重畳する部位に開口部を形成して、前記貫通孔による前述した外気と前記中敷きとの熱交換を確保する。
【００２５】
また、前記固定シートを設けることにより、前記靴底上面と前記中敷きとの密着性を高めて、この中敷きのずれ防止を効果的に行なうことができる。
【発明の効果】
【００２６】
本発明の靴用中敷きによれば、足に冷感作用を与えて、装着時の熱による不快感を緩和することができ、また、この中敷きを備えた靴によれば、この中敷きの機能を有効に引き出して履き心地を向上させることができる。
【図面の簡単な説明】
【００２７】
【図１】本発明の一実施形態にかかる中敷きを備えた靴の側面図である。
【図２】本発明の一実施形態にかかる中敷きを備えた靴の底面図である。
【図３】本発明の一実施形態にかかる中敷きを備えた靴の縦断面図である。
【図４】本発明の一実施形態にかかる中敷きを備えた靴の靴底の平面図である。
【図５】本発明の一実施形態にかかる中敷きを備えた靴に用いられる異物混入防止部材を分解した状態の平面図である。
【図６】本発明の一実施形態にかかる中敷きを備えた靴に用いられる異物混入防止部材の底面図である。
【図７】本発明の一実施形態にかかる中敷きの平面図である。
【図８】本発明の一実施形態にかかる中敷きを備えた靴の靴底を分解した平面図である。
【図９】本発明の一実施形態にかかる中敷きの平面図である。
【図１０】本発明の一実施形態にかかる中敷きを備えた靴と一般的な中敷きを備えた靴との内部温度変化の差を示すグラフである。
【図１１】本発明の靴用中敷きの他の実施形態に用いられる基体の平面図である。
【図１２】本発明の靴用中敷きの他の実施形態に用いられる基体の底面図である。
【図１３】本発明の靴用中敷きの他の実施形態を示す分解図である。
【図１４】本発明の靴用中敷きの他の実施形態を示す平面図である。
【図１５】本発明の靴用中敷きの他の実施形態を示す縦断面図である。
【発明を実施するための形態】
【００２８】
以下、本発明の靴用中敷きの一実施形態について図８および図９を用いて説明する。
これらの図において符号１は、本実施形態に係わる中敷きを示す。
【００２９】
本実施形態の中敷き１は、粘着性を有する弾性材料によって形成された基体２を備え、この基体２に冷感剤（図示略）を混入させることによって、前記基体２全体を冷却部とした構成となっている。
【００３０】
前記基体２は、本実施形態においては、ゲル状のポリウレタン樹脂が用いられており、剥離可能な粘着性を有するとともに、靴の使用目的に応じた弾性が付与されている。
【００３１】
そして、前記冷感剤として、たとえば、メンソールを用い、このメンソールを前記基体２に溶け込ませることによって混入させている。
【００３２】
また、前記基体２の上面には、メッシュシート３が一体に貼着されている。
このメッシュシート３には、足の踵が対峙させられる部位、前記足の中足骨部が対峙させられる部位、および、前記足の指の付け根が対峙させられる部位のそれぞれに開口部３ａ・３ｂ・３ｃが形成されている。
【００３３】
このメッシュシート３は、好ましくは抗菌防臭繊維を用いて形成されて、抗菌および防臭機能が付与されているとともに、多数の孔による通気性により、汗や熱を放散する機能が付与されている。
【００３４】
そして、前記基体２には、図９に示すように、前記メッシュシート３が貼着された状態において、このメッシュシート３に形成されている前記開口部３ａ・３ｂ・３ｃを経て前記メッシュシートの上面に突出する膨隆部２ａ・２ｂ・２ｃが形成され、前記踵に対応して形成された膨隆部２ａには、多数の突部２ｄが形成されている。
【００３５】
これらの膨隆部２ａ・２ｂ・２ｃは、前記中敷き１に足を載せた際に、前記基体２が、その弾性により、足の踵、中足骨部、および、指の付け根になじむように変形して、前記中敷き１が足にしっかりとフィットするように設けられている。
【００３６】
ついで、このように構成された本実施形態の中敷き１が装着される靴について、図１ないし図７を参照して説明する。
【００３７】
これらの図において符号１０で示す靴は、靴底１１と、この靴底１１の上部に設けられて足が挿入される空洞部Ａを形成する甲被１２とによって構成され、前記靴底１１には、その上面から下面に至る貫通孔１１ａが形成されており、前記中敷き１がその粘着性によって前記靴底１１の上面に密着させることにより、前記貫通孔１１ａが覆われている。
そして、本実施形態においては、前記基体２がゲル状のポリウレタン樹脂によって形成されていることにより、前記貫通孔１１ａが水密に閉塞されている。
【００３８】
また、前記靴底１１の上面には、図３および図４に示すように、前記貫通孔１１ａが形成された部位を含むように凹部１１ｂが形成され、この凹部１１ｂ内に、図３に示すように、前記貫通孔１１ａを靴１０の内面側から覆う、通気性を有し異物の通過を阻止する異物混入防止部材１３が装着されている。
【００３９】
前記異物混入防止部材１３は、図５に示すように、多数のスリットＳが形成されたベースプレート１３ａと、微細孔が全体的に形成されたアッパープレート１３ｂとからなり、このアッパープレート１３ｂを前記ベースプレート１３ａの上面に積層して一体化することによって構成されている（図６参照）。
【００４０】
そして、前記異物混入防止部材１３は、図３に示すように、前記靴底１１の上面に貼着される固定シート１４によって覆われるようにして固定されている。
【００４１】
前記固定シート１４には、前記靴底１１に形成されている前記貫通孔１１ａと重畳する部位に開口部１４ａが形成されて、前記貫通孔１１ａを介して、前記靴底１１の内外部を連通させるようになっている。
【００４２】
ついで、このように構成された靴１０の作用とともに、前記中敷き１の作用について説明する。
【００４３】
前記中敷き１は、前記異物混入防止部材１３が前記固定シート１４によって固定された靴１０の内部に挿入されるとともに、前記固定シート１４に密着させられるように装着される。
【００４４】
このように、前記中敷き１が装着された靴１０においては、この中敷き１の一部の下面が、前記固定シート１４の開口部１４ａ、前記異物混入防止部材１３の隙間、および、前記靴底１１の貫通孔１１ａを経て外気に接触させられている。
【００４５】
前記靴１０を足に装着すると、装着者の体重によって、足裏が前記中敷き１の上面に押しつけられる。
【００４６】
ここで、前記足の踵、中足骨部、および、指の付け根の各部位において、前記中敷き１の基体２に設けられている各膨隆部２ａ・２ｂ・２ｃが押し潰されるように変形させられる。
【００４７】
これによって、前記各膨隆部２ａ・２ｂ・２ｃが、前記足の踵、中足骨部、および、指の付け根の各部位になじむように接触させられて、これらの各部位がしっかりと保持される。
【００４８】
また、前記足裏が、前記基体２の上面に設けられているメッシュシート３に押しつけられることにより、足のずれが防止される。
【００４９】
これによって、足と靴１０との一体感が得られ、良好な履き心地を実現することができる。
【００５０】
そして、足が押しつけられた前記中敷き１の基体２には、冷感剤が混入されていることにより、この冷感剤により冷感作用が前記足裏に作用し、蒸れ等の不快要素が軽減される。
この点からも、靴１０の履き心地を良好なものとすることができる。
【００５１】
しかも、前記メッシュシート３によって、前記足裏に多数の空隙が形成されることにより、この足裏の換気が行なわれて、足裏回りの温度上昇が抑制される。
【００５２】
さらに、前記中敷き１の下面には、前記靴底１１の貫通孔１１ａ、前記異物混入防止部材１３の間隙を経て外気が常時接触させられている。
【００５３】
この外気により、前記中敷き１およびこの中敷き１に混入されている冷感剤の冷却が継続して行なわれて、この冷感剤の冷感作用が保持される。
この結果、前述した良好な履き心地が継続して維持される。
【００５４】
ここで、一足の靴の一方に、冷却剤が混入されていないＥＶＡ樹脂（エチレンビニールアセタートコポリマー）によって形成した一般的な中敷きを装着し、他方に、本実施形態の中敷き１を装着しておき、１時間の歩行を行なった際の靴の内部温度変化を図１０に示した。
【００５５】
この図１０において曲線Ｘが本実施形態の中敷き１を装着した靴の内部温度変化を示し、曲線Ｙが一般的な中敷きを装着した靴の内部温度変化を示す。
また、経過時間「０」における温度は、靴を履く前の内部温度を示す。
【００５６】
このように、一般的な中敷きが装着された靴の内部温度は、歩行開始直後に３５℃以上に上昇した後に徐々に上昇し、３７．４℃の最高温度まで上昇しているのに対し、本実施形態の中敷き１が装着された靴１０の内部温度は、歩行開始かの温度上昇が緩やかで、その最高温度も３５．１℃に抑えられており、その効果は歴然である。
【００５７】
一方、本実施形態においては、前記貫通孔１１ａが、前記靴１０の内面側において前記中敷き１によって水密状態に閉塞されていることから、水が前記靴１０内に浸入することはない。
【００５８】
また、異物が前記貫通孔１１ａないに浸入したとしても、これらの異物が前記異物混入防止部材１３によって前記靴１０内へ入り込むことが防止される。
【００５９】
なお、前記実施形態において示した各構成部材の諸形状や組成、あるいは、寸法等は一例であって、設計要求等に基づき種々変更可能である。
【００６０】
たとえば、前記実施形態においては、前記基体２をゲル状のポリウレタン樹脂によって形成した例について示したが、これに代えて、慣用のゲル状材料を採用することは当然に可能である。
また、前記基体２は、複数の弾性材料によって形成されていてもよい。
【００６１】
また、前記基体２に、たとえば、多数の微細孔を形成して。通気性を持たせた構成とすることもできる。
このような構成とすることによって、前記基体２に混入されている冷感剤と外気との接触を良好なものとして、その冷感作用をさらに高めることができる。
【００６２】
さらに、図１１ないし図１５に示す中敷き２０とすることもできる。
この中敷き２０は、図１５に示すように、基体２１と、この基体２１の上面に貼着されるメッシュシート２２と、このメッシュシート２２に設けられた冷却部２３とを備えている。
【００６３】
前記基体２１には、図１５に示すように、足の踵に対峙させられる部位と、足の指の付け根に対峙させられる部位とに、それぞれ開口部２１ａ・２１ｂが形成されている。
【００６４】
一方、前記メッシュシート２２に設けられる前記冷却部２３は、前記メッシュシート２２を前記基体２１の上面に貼着した際に、前記基体２１に形成されている前記開口部２１ａ・２１ｂを覆う位置に設けられている。
【００６５】
このように構成された本実施形態にかかる中敷き２０によれば、この中敷き２０を靴底１１の上面に接地した状態において、前記各冷却部２３が、前記靴底１１に形成されている貫通孔１１ａ、および、前記基体２１に形成されている前記開口部２１ａ・２１ｂを介して外気へ接触させられる。
【００６６】
これによって、前記冷却部２３の温度上昇を抑制して、その冷感作用を確保することができる。
しかも、前記冷却部２３が、足の指の付け根や踵に対峙させられていることにより、足の熱のこもりやすい部位に冷感作用を作用させることができる。
【符号の説明】
【００６７】
１  中敷き
２  基体
２ａ  膨隆部
２ｂ  膨隆部
２ｃ  膨隆部
２ｄ  突部
３  メッシュシート
３ａ  開口部
３ｂ  開口部
３ｃ  開口部
１０  靴
１１  靴底
１１ａ  貫通孔
１１ｂ  凹部
１２  甲被
１３  異物混入防止部材
１３ａ  ベースプレート
１３ｂ  アッパープレート
１４  固定シート
１４ａ  開口部
２０  中敷き
２１  基体
２１ａ  開口部
２１ｂ  開口部
２２  メッシュシート
２３  冷却部
Ａ  空洞部
Ｓ  スリット
【図１】
2019005157.tif 000003
【図２】
2019005157.tif 000004
【図３】
2019005157.tif 000005
【図４】
2019005157.tif 000006
【図５】
2019005157.tif 000007
【図６】
2019005157.tif 000008
【図７】
2019005157.tif 000009
【図８】
2019005157.tif 000010
【図９】
2019005157.tif 000011
【図１０】
2019005157.tif 000012
【図１１】
2019005157.tif 000013
【図１２】
2019005157.tif 000014
【図１３】
2019005157.tif 000015
【図１４】
2019005157.tif 000016
【図１５】
2019005157.tif 000017
【手続補正書】
【提出日】平成29年11月27日(2017.11.27)
【手続補正１】
【補正対象書類名】特許請求の範囲
【補正対象項目名】全文
【補正方法】変更
【補正の内容】
【特許請求の範囲】
【請求項１】
靴の靴底上面に中敷きが載置されてなる中敷きを備えた靴であって、前記中敷きが、前記靴底上面に載置されて足が載せられる基体を備え、この基体に、冷感剤が混入されて形成されたゲル状樹脂からなる冷却部が設けられ、前記靴底に、この靴底上面に載置された前記基体の冷却部を外気に接触させる貫通孔が形成され、前記基体が前記貫通孔を覆って載置されるとともに、この基体に載せられる足によって前記冷却部が前記貫通孔の上部開口周縁へ押しつけられて、この貫通孔の上部開口が水密に閉塞されるようになされており、前記冷却部が、前記基体に載せられる足の足指付け根回りおよび踵回りが対峙させられる位置に対応して設けられていることを特徴とする中敷きを備えた靴。
【請求項２】
前記基体の上面で前記足が載せられる面に、メッシュシートが貼着されていることを特徴とする請求項１に記載の中敷きを備えた靴。
【請求項３】
前記基体の上面で、前記冷却部が設けられた位置以外の部位にメッシュシートが貼着されているとともに、前記冷却部が前記メッシュシートから上方に盛り上がるように設けられていることを特徴とする請求項２に記載の中敷きを備えた靴。
【請求項４】
前記冷却部が、前記メッシュシートと一体に設けられ、このメッシュシートを前記基体の上面に貼着することによって前記基体に設けられていることを特徴とする請求項３に記載の中敷きを備えた靴。